(57)【要約】【課題】サンダルのインソールと足の甲を覆う上部外皮を容易に結合・分離自在にする上部外皮を入替えできるサンダルを得ることにある。【解決手段】両側面に複数の嵌合孔が形成されたインソールと、前記インソールの上部に具備され足の甲を覆う上部外皮、及び前記嵌合孔に対応されるよう形成され、結合される結束具と、前記結束具外側に形成され前記上部外皮の両端部と結合される掛け金 とで構成される結束ユニットが含まれ、結束ユニットにより上部外皮を容易に入れ替えできるサンダルを構成している。【選択図】図２
2016198143.tif 000002
【特許請求の範囲】
【請求項１】
両側面に複数の嵌合孔１２０が形成されたインソール１００と、前記インソール上部に具備され足の甲を覆う上部外皮２００及び、前記嵌合孔に対応されるよう形成して結合される結束具３２０と、前記結束具外側に形成され前記上部外皮の両端部と結合される掛け金３４０から構成される結束ユニット３００が含まれものの、前記嵌合孔１２０は、前記インソールの底面から上方に形成されものの、前記インソールの幅方向に形成されたガイド孔１２２と、前記ガイド孔の端部から連通され、前記インソールの長さ方向に形成された係止溝１２４からなることを特徴とする上部外皮の入れ替えができるサンダル。
【請求項２】
前記結束具３２０は、前記ガイド孔に対応されるよう形成される連結片３２２と、前記連結片の一側に具備され、前記係止溝に対応されるよう形成される係止片３２４と、前記連結片の他側に具備され、嵌合孔を仕上げをする仕上げ片３２６及び、前記連結片、係止片及び仕上げ片の下部に形成された受け片３２８から構成されることを特徴とする請求項１記載の上部外皮の入れ替えができるサンダル。
【請求項３】
前記掛け金３４０は楕円形に形成され、前記上部外皮の端部には結合孔２２２が形成され相互結合することを特徴とする請求項１記載の上部外皮の入れ替えができるサンダル。
【発明の詳細な説明】
【技術分野】
【０００１】
本発明は、上部の外皮を入替えできるサンダルに関するもので、より詳しくは、サンダルのインソールと足の甲を覆う上部の外皮を容易に結合・分離できる上部の外皮を入替えできるサンダルに関するものである。
【背景技術】
【０００２】
一般的にサンダルというのは、足の甲、足指、足首の上にかける紐を使って靴のソールを足に固定させる靴の形を通称するものである。現在、消費者の好みとファッションに応じて、多様な形のサンダルを製作・提供している。
【０００３】
図１は、従来の組み立て式のサンダルを示したもので、要約すると甲皮ＵとアウトソールＳからなる通常のサンダルにおいて、甲皮Ｕの両端部に嵌合部１０を形成し、アウトソールＳにはアウトソールＳの後方の縁の周囲から側面へ穿孔された甲皮挿入穴１３を形成し、嵌合部１０に組立て棒１６を挿入し甲皮ＵをアウトソールＳに組立てられるようなっていることを特徴とするものである。
【０００４】
従来の技術は、接着剤を使用しないよう、甲皮の嵌合部に組み立て棒を使いアウトソールに結合するようにしたのだが、このような組み立て棒は甲皮には容易に入れ込むことはできるが、アウトソールへの結束は無理やりに入れ込まなければならないので容易に結合できないという問題点があった。
【先行技術文献】
【特許文献】
【０００５】
【特許文献１】韓国実用新案公開番号２０-１９９２-００１８９５０号公報
【発明の概要】
【発明が解決しようとする課題】
【０００６】
本発明の課題は、このような前記の問題点に鑑みてなされたもので、上部の外皮を容易に結合・分離できることにより、サンダルの生産における工程時間を減らすだけではなく、必要な場合、足の甲を覆う上部を容易に入れ替ができるようにする上部外皮の入替えができるサンダルを提供することにある。
【課題を解決するための手段】
【０００７】
前記のような目的を達成するために、本発明のサンダルは、両側面に複数の嵌合孔が形成されたインソール、前記インソールの上部に備えられ、足の甲を覆う上部の外皮、及び前記嵌合孔に対応するよう形成して結合される結束具と、前記結束具の外側に形成されて前記上部外皮の両端部と結合される掛け金からなる結束ユニット３００が含まれることを特徴とする。
【０００８】
前記嵌合孔は、前記インソールの底面から上方に形成されるが、前記インソールの幅方向に形成されたガイド孔と、前記ガイド孔の端部から連通され、前記インソールの長方向に形成された係止溝からなることを特徴とする。
【０００９】
前記結束具は、前記ガイド孔に対応されるよう形成される連結片と、前記連結片の一側に具備され、前記係止溝に対応されるように形成される係止片と、前記連結片の他側に具備され嵌合孔を仕上げる仕上げ片及び、前記連結片、係止片及び仕上げ片の下部に形成された受け片から構成されることを特徴とする。
【００１０】
前記掛け金は楕円形に形成され、かつ前記上部外皮の端部には結合孔が形成され、相互結合されることを特徴とする。
【発明の効果】
【００１１】
前記のような構成の本発明によると、次のような効果を期待することができる。
まず、サンダルのインソールに足の甲を覆う上部を結合するための結束ユニットを使うようになるが、結束ユニットを簡単にインソールに嵌め込んで上部の外皮に連結することで終るので、製造工程が簡単で、上部外皮の入れ替えが容易な利点を得るようになる。
【図面の簡単な説明】
【００１２】
【図１】従来のサンダルの例示図。
【図２】本発明の実施例に係る上部の外皮を入替えできるサンダルの分離斜視図。
【図３ａ】図２の背面図。
【図３ｂ】図２の側面図。
【図４】図１の結束ユニットの詳細図。
【図５】本発明の実施例に係る上部の外皮を入替えできるサンダルの結合斜視図。
【発明を実施するための形態】
【００１３】
以下、添付図面に基づいて本発明の好ましい実施例を説明する。図２は本発明の好ましい実施例による上部外皮の入れ替えができるサンダルの分離斜視図である。図２を参照すると、本発明の上部外皮の入れ替えができるサンダルはインソール１００、上部外皮２００及び結束ユニット３００から構成される。
【００１４】
前記インソール１００は、人の足裏面を受けるサイズに成形・製作され、両側面に複数の嵌合孔１２０が形成される。ここで、前記インソール１００は硬質または軟質のプラスチック系から形成され、上部にはすべり防止ジョーが多数形成される。
【００１５】
前記上部の外皮２００は、前記インソール１００の上部に具備され足の甲を覆うことで、前記上部の外皮２００の両側面に複数の嵌合片２１０が突出形成され、前記嵌合片２１０に結束ユニット３００の掛け金３４０と固定されるようにしたものである。これはあとで図５に参照して説明する。ここで、前記上部の外皮２００を前記インソール１００に固定させるために前記結束ユニット３００が必要とされる。
【００１６】
前記結束ユニット３００は、前記嵌合孔１２０に対応されるように形成して結合される結束具３２０と、前記結束具３２０の外側に形成され、前記上部の外皮２００の両端部と結合される掛け金３４０から構成されることを特徴とする。
【００１７】
ここで、前記結束具３２０と前記掛け金３４０を一体型として形成しているが、必要によって前記結束具３２０と前記掛け金３４０を別に成形して相互結合することもできる。前記インソール１００に形成された嵌合孔１２０を詳細に調べるために図３aの背面図と図３cの側面図に参照して説明する。
【００１８】
図３aと３bを参照すると、前記嵌合孔１２０は前記インソール１００の底面で上方に形成されものの、前記インソール１００の幅方向に形成されたガイド孔１２２と、前記ガイド孔１２２の端部から連通され前記インソール１００の長方向に形成された係止溝１２４からなることを特徴とする。つまり、前記嵌合孔１２０は前記ガイド孔１２２と前記係止溝１２４からなるもので、全体的な形状が「Ｔ」文字の形にしている。
【００１９】
前記のように前記嵌合孔１２０の全体的な形状が「Ｔ」文字の形にするが、これは結束ユニット３００の結束具３２０を結合させ、インソールから結束ユニット３００がよく抜けないようにするためである。ここで、前記嵌合孔１２０に結合される結束ユニット３００の結束具３２０を詳細に調べるためにこれを示す図４を参照して説明する。
【００２０】
図４を参照すると、前記結束ユニット３００の結束具３２０は、連結片３２２、係止片３２４、仕上げ片及び受け片３２８が一体化されたものである。詳細には、図３aで前記ガイド孔１２２に対応されるよう形成される連結片３２２と、前記連結片３２２の一側に具備され、図３aの前記係止溝１２４に対応されるよう形成される係止片３２４と、前記連結片３２２の他側に具備され図３aの前記嵌合孔１２０を仕上げをする仕上げ片３２６及び、前記連結片３２２、係止片３２４及び仕上げ片３２６の下部に形成された受け片３２８から構成されることを特徴とする。
【００２１】
つまり、前記連結片３２２と前記係止片３２４により、「Ｔ」字形のブロックが形成されてここに対応した図３aの前記ガイド孔１２２と前記係止溝１２４に挿入して結合されるようになるものである。それから、前記連結片３２２と前記係止片３２４には接着剤を塗布して固定するほうが好ましい。
【００２２】
以上では、前記結束ユニット３００の結束具３２０を調べてた。これにつながれた掛け金３４０は楕円形に形成され、前記結束具３２０の仕上げ片３２６の側に形成されるものである。前記掛け金３４０は、上部外皮に結合されるが、これを示す図５に参照して説明する。
【００２３】
図５は、本発明の実施例に係る上部外皮の入れ替えができるサンダルの結合斜視図である。図５を参照すると、前記掛け金３４０は楕円形で突出形成され、前記の上部外皮２００の端部に形成された嵌合片２１０に穿孔された結合孔２２２が形成され、前記掛け金３４０と相互結合される。例えば、前記の上部外皮２００に形成された結合孔２２２に前記掛け金３４０を嵌めて前記上部外皮２２０が前記インソール１００に固定されるものである。
【００２４】
したがって、本発明のような上部の外皮が入れ替えできるサンダルは、上部の外皮をインソールに結束ユニットを使って容易に結合・分離自在にし、サンダルの生産における工程時間を減らして費用面で利点がありつつ、上部外皮を容易に入れ替ることができるようになり、多様なスタイルのサンダルを演出することができる利点もある。
【００２５】
以上のごとく、本発明は上部外皮の入れ替えができるサンダルを提供することを基本的な技術的な思想としており、このような本発明の基本的な思想の範疇内で、当業係の通常の知識を有する者においては他の多数の変形が可能であることはもちろんの事である。
【産業上の利用可能性】
【００２６】
本発明は、上部外皮を入替えできるサンダルを製造する産業で利用される。
【符号の説明】
【００２７】
１００、インソール 
１２０、嵌合孔
１２２、ガイド孔 
１２４、係止溝
２００、上部の外皮 
２１０、嵌合片
２２２、結合孔 
３００、結束ユニット
３２０、結束具 
３２２、連結片
３２４、係止片 
３２６、仕上げ片
３２８、受け片 
３４０、掛け金
【図１】
2016198143.tif 000003
【図２】
2016198143.tif 000004
【図３】
2016198143.tif 000005
【図４】
2016198143.tif 000006
【図５】
2016198143.tif 000007